(57)【要約】【課題】段ボール製のショートフラップ包装箱において、運搬時に手に痛みを感じにくくし、端面の開口部の上方に位置する天端フラップが破れにくくする。【解決手段】外フラップ７には、その先端縁から入れられた切目線９の間に、包装状態で端面の開口部１９に臨む押込片１０が形成され、押込片１０の基部には折込線１１が、押込片１０の先端縁と折込線１１の間には折返線１２がそれぞれ幅方向に入れられたものとする。そして、押込片１０を折込線１１に沿った折り曲げに伴い内側へ押し込むと、開口部１９に連通する手入凹所２０が形成され、押込片１０の折込線１１と折返線１２の間の部分がその基部側の外フラップ７の裏面に重なると共に、押込片１０が折返線１２に沿って谷折り方向へ折れ曲がり、押込片１０の折返線１２と先端縁の間の部分が壁板３の端部の裏面に重なるものとする。【選択図】図４
0003203236.tif 000002
【実用新案登録請求の範囲】
【請求項１】
角筒をなす一対の壁板(1,3)及び他対の壁板(2,2)のうち、一方の対向する壁板(2,2)に内フラップ(6)が連設され、他方の対向する壁板(1,3)に外フラップ(5,7)が連設され、内フラップ(6)と外フラップ(5,7)とが貼り合わされて包装状態となり、包装状態では、内フラップ(6,6)と外フラップ(5,7)の先端縁に囲まれた開口部(19)が形成される段ボール製のショートフラップ包装箱において、
前記外フラップ(7)には、その先端縁から入れられた切目線(9)の間に、包装状態で開口部(19)に臨む押込片(10)が形成され、押込片(10)の基部には折込線(11)が、押込片(10)の先端縁と折込線(11)の間には折返線(12)がそれぞれ幅方向に入れられ、
前記押込片(10)を折込線(11)に沿った折り曲げに伴い内側へ押し込むと、開口部(19)に連通する手入凹所(20)が形成され、押込片(10)の折込線(11)と折返線(12)の間の部分が外フラップ(7)の裏面に重なると共に、押込片(10)が折返線(12)に沿って谷折り方向へ折れ曲がり、押込片(10)の折返線(12)と先端縁の間の部分が壁板(3)の端部の裏面に重なることを特徴とするショートフラップ包装箱。
【請求項２】
請求項１に記載のショートフラップ包装箱において、前記押込片(10)を有する壁板(3)と外フラップ(7)の境界の稜線(13)から押込片(10)の先端までの長さ(a)の１／２よりも、当該稜線(13)から押込片(10)の折込線(11)までの長さ(b)が小さく、当該稜線(13)から押込片(10)の折込線(11)までの長さ(b)よりも、押込片(10)の折込線(11)から折返線(12)までの長さ(c)が小さくなっていることを特徴とするショートフラップ包装箱。
【考案の詳細な説明】
【技術分野】
【０００１】
この考案は、短いフラップを重ね合わせて端面が開口した状態で物品を包装する段ボール製の包装箱に関するものである。
【背景技術】
【０００２】
下記特許文献１には、図８に示すような包装箱が記載されている。この包装箱は、底面及び天面をなす一対の壁板５１，５３及び両側面をなす他対の壁板５２，５２のうち、一方の対向する壁板５２，５２に内フラップ５５が連設され、他方の対向する壁板５１，５３に外フラップ５４，５６が連設され、内フラップ５５と外フラップ５４，５６とが端面で貼り合わされて包装状態となるラップラウンド式の段ボール箱である。
【０００３】
この包装箱は、ショートフラップ形式であり、包装状態では、内フラップ５５，５５と外フラップ５４，５６の先端縁に囲まれた開口部５７が端面に形成され、包装した物品が開口部５７から見えるようになっている。
【０００４】
そして、上方となる外フラップ５６の先端縁は、開口部５７に臨む部分で半円状に抉られて、その抉り部分の中間部が把持縁５８とされ、天面の壁板５３の両端寄りには、指入穴５９が設けられている。把持縁５８は、内フラップ５５と外フラップ５６の接着部６０よりも上方に位置している。
【０００５】
上記のような包装箱では、外フラップ５６の把持縁５８から上端までの距離が短くなることから、運搬に際して、把持縁５８に人差し指から小指までを掛け、指入穴５９に親指を挿入して持ち上げたとき、内フラップ５５と外フラップ５６の接着部６０を剥がそうとするモーメントが小さくなり、接着部６０の剥がれが防止され、包装した物品の飛び出しが防止される。
【先行技術文献】
【特許文献】
【０００６】
【特許文献１】登録実用新案第３１７１５０５号公報
【考案の概要】
【考案が解決しようとする課題】
【０００７】
しかしながら、上記のような包装箱では、運搬時に段ボールの切断縁である外フラップ５６の把持縁５８を直接持つことになるため、包装した物品が重い場合、手に段ボールの切断縁が食い込むような痛みを感じることがある。
【０００８】
また、把持縁５８の付近は段ボール１枚分の厚みしかないため、把持縁５８から外フラップ５６が上方へ破れる恐れがあり、宅配等で受取人に届いた時、包装が破損した見苦しい状態となって、物品の破損が疑われる恐れもある。
【０００９】
そこで、この考案は、運搬時に手に痛みを感じにくくし、端面の開口部の上方に位置する天端フラップが破れにくくすることを課題とする。
【課題を解決するための手段】
【００１０】
上記課題を解決するため、この考案は、角筒をなす一対の壁板及び他対の壁板のうち、一方の対向する壁板に内フラップが連設され、他方の対向する壁板に外フラップが連設され、内フラップと外フラップとが貼り合わされて包装状態となり、包装状態では、内フラップと外フラップの先端縁に囲まれた開口部が形成される段ボール製のショートフラップ包装箱において、前記外フラップには、その先端縁から入れられた切目線の間に、包装状態で開口部に臨む押込片が形成され、押込片の基部には折込線が、押込片の先端縁と折込線の間には折返線がそれぞれ幅方向に入れられ、前記押込片を折込線に沿った折り曲げに伴い内側へ押し込むと、開口部に連通する手入凹所が形成され、押込片の折込線と折返線の間の部分が外フラップの裏面に重なると共に、押込片が折返線に沿って谷折り方向へ折れ曲がり、押込片の折返線と先端縁の間の部分が壁板の端部の裏面に重なるものとしたのである。
【００１１】
具体的には、前記押込片を有する壁板と外フラップの境界の稜線から押込片の先端までの長さの１／２よりも、当該稜線から押込片の折込線までの長さが小さく、当該稜線から押込片の折込線までの長さよりも、押込片の折込線から折返線までの長さが小さくなるようにしたのである。
【考案の効果】
【００１２】
この考案に係るショートフラップ包装箱では、運搬に際して、押込片の押し込みに伴い形成される手入凹所が開口部に連通するので、手入凹所に手を入れやすく、容易に把持することができる。そして、折込線における丸味を帯びた折曲部を把持するので、包装した物品が重い場合でも、手に痛みを感じにくくなる。
【００１３】
また、押込片がその基部側の外フラップ及び壁板の裏面に重なって、把持部分で段ボールが二重構造となるので、開口部に臨む外フラップが破れにくくなり、包装の品質を維持したまま、物品を届け先に配送することができる。
【図面の簡単な説明】
【００１４】
【図１】この考案に係るショートフラップ包装箱のブランクを示す図
【図２】図１のＡ部拡大図
【図３】同上のショートフラップ包装箱の包装状態を示す斜視図
【図４】同上の運搬時の把持状態を示す斜視図
【図５】同上の把持部分の縦断側面図
【図６】同上の天面開封状態を示す斜視図
【図７】同上のトレイ状とした展示用開封状態を示す斜視図
【図８】特許文献１記載のショートフラップ包装箱を示す斜視図
【考案を実施するための形態】
【００１５】
以下、この考案の実施形態を添付図面に基づいて説明する。
【００１６】
このショートフラップ包装箱は、大容量の飲料入りＰＥＴボトルを集合包装するものであり、図１に示す段ボールのブランクから形成される。
【００１７】
このブランクでは、段ボールの中しんの段頂が延びる段目方向へ並ぶように、底面となる壁板１の一側に一方の側面となる壁板２及び天面となる壁板３が順次連設され、壁板１の他側に他方の側面となる壁板２及び継代片４が順次連設されている。両側面となる壁板２の両端には内フラップ６が連設され、底面及び天面となる壁板１，３の両端には、外フラップ５，７がそれぞれ連設されている。
【００１８】
各壁板２と内フラップ６の間には面取部８が介在し、壁板１，３は、四隅が面取部８に対応して斜辺となっている。一方の壁板２と継代片４の境界をなす第１罫線２１と、他方の壁板２と壁板３の境界をなす第４罫線２２とは、壁板２の積上荷重による座屈変形を防止するため、それぞれ中央が壁板２に入り込むように僅かにＶ字状に屈曲している。
【００１９】
外フラップ７には、先端縁から入れられた２本の切目線９の間に運搬用の押込片１０が形成されている。押込片１０の基部には、平行な２条の折込線１１が幅方向に入れられ、また、押込片１０の先端と折込線１１の間には、先端寄りに折返線１２が幅方向に入れられている。
【００２０】
切目線９は、外フラップ７の裂け止めのため、奥部が内側へ巻き込むように湾曲し、包装時における押込片１０の捲れ上がりを防止するため、押込片１０の先端側及び中間部に繋部が設けられたものとなっている。
【００２１】
折込線１１は、把持時に山折りとなって押込片１０を押し込みやすいように、段ボールを裏面から押圧した押罫とされ、折返線１２は、把持時に谷折り方向へ折れ曲がりやすいように、押罫の中間部に切目が入れられたものとされている。
【００２２】
押込片１０に関する寸法関係を詳述すると、図２に示すように、壁板３と外フラップ７の境界をなす稜線１３から押込片１０の先端までの長さａの１／２よりも、稜線１３からこれに近い折込線１１までの長さｂが小さくなっており、この長さｂよりも、他方の折込線１１から折返線１２までの長さｃが段ボールの厚さ程度小さくなっている。
【００２３】
また、図１に示すように、内フラップ６には、包装状態で押込片１０の裏側に重なる部分に、押込片１０の端部に対応した形状の切欠部１４が形成されている。
【００２４】
また、壁板３には、壁板２との境界寄りに弧状の切目線とその間に渡された折目線に囲まれた押込部１５が設けられると共に、押込部１５の両端から外フラップ７へ向けて斜めに延び、稜線１３に沿って端部へ向かう切目線１６が入れられている。切目線１６の斜め部分は、Ｙ字状の切目が断続して破断の逸れ止め機能を有するジッパ型とされ、稜線１３に沿う部分は、通常のミシン目とされている。
【００２５】
そのほか、壁板２とその両端の面取部８及び内フラップ６には、開封用の引裂帯１７としてカットテープが段ボールの裏面に貼着され、壁板２には、引裂帯１７の切始部１８がＨ字状の切目線を入れて形成されている。
【００２６】
上記のようなブランクを組み立ててＰＥＴボトルを集合包装するには、図３に示すように、壁板１に集積したＰＥＴボトルＢを載せて、両側の壁板２を起立させ、継代片４を内側水平方向へ折り曲げ、壁板３をＰＥＴボトルＢに被せるように折り曲げて、壁板３と継代片４とを貼り合わせる。
【００２７】
そして、面取部８をＰＥＴボトルＢの外周に沿わせて斜め内側へ折り曲げ、対向する壁板２から内フラップ６を内側へ折り曲げた後、外フラップ５を上方へ折り曲げて、一対の内フラップ６の下部外面に貼り合わせ、外フラップ７を下方へ折り曲げて、一対の内フラップ６の上部外面に貼り合わせる。この包装状態では、一対の内フラップ６と外フラップ５及び外フラップ７の先端縁に囲まれた開口部１９が端面に形成される。
【００２８】
このような包装状態のショートフラップ包装箱を運搬する際には、図４及び図５に示すように、押込片１０を折込線１１に沿って内側へ押し込む。これに伴い、押込片１０が抜け出した跡に端面の開口部１９に連通する手入凹所２０が形成される。
【００２９】
そして、押込片１０の折込線１１と折返線１２の間の部分が折込線１１より上方で外フラップ７の裏面に重なり、押込片１０が折返線１２沿いに谷折り方向へ折れ曲がって、押込片１０の折返線１２と先端縁の間の部分が壁板３の端部の裏面に重なる。
【００３０】
上記のようなショートフラップ包装箱では、押込片１０の押し込みに伴い、押込片１０が抜け出した跡に形成される手入凹所２０が、内フラップ６と外フラップ５及び外フラップ７の先端縁に囲まれた端面の開口部１９に連通するので、運搬に際して、手入凹所２０に手を入れやすく、容易に把持することができる。
【００３１】
そして、押込片１０が折込線１１と折返線１２とで折れ曲がり、折込線１１における丸味を帯びた折曲部を把持するので、手に段ボールの切断縁が直接当たることがなくなり、包装した物品が重い場合でも、手に痛みを感じにくくなる。
【００３２】
また、押込片１０が外フラップ７及び壁板３の裏面に重なって、把持部分で段ボールが二重構造となるので、運搬中に外フラップ７が破れにくくなり、包装の品質を維持したまま、ＰＥＴボトルＢを届け先に配送することができる。
【００３３】
その後、配送されたショートフラップ包装箱を開封する際には、図６に示すように、壁板３の押込部１５を押し込んで引き上げ、押込部１５から切目線１６を切断して、壁板３の継代片４に繋がった部分を開き、天面を開口させることにより、ＰＥＴボトルＢを必要な本数だけ取り出すことができ、残存したＰＥＴボトルＢを保管しておく場合には、壁板３を閉じておくことができる。
【００３４】
一方、店頭でＰＥＴボトルＢを陳列して１本ずつ販売する場合においては、図７に示すように、引裂帯１７を切始部１８から引っ張って、壁板２、面取部８及び内フラップ６を切断し、引裂帯１７から上方の部分を除去することにより、残存したトレイ部分からＰＥＴボトルＢを自由に取り出せるように露出させることができる。
【００３５】
なお、上記実施形態では、ショートフラップ包装箱として、面取部８を有するものを例示したが、面取部８のない直方体状のショートフラップ包装箱においても、把持部分を同様の構成とすることができる。
【００３６】
また、上記実施形態では、端面に開口部が形成されるラップラウンド式のショートフラップ包装箱について例示したが、周方向に連なった壁板から内フラップ及び外フラップが延出され、天面に開口部が形成されるいわゆるＡ式のショートフラップ包装箱や、底面の壁板の周囲各辺に連なった各側面の壁板から内フラップ及び外フラップが延出され、天面に開口部が形成されるいわゆる奴式のショートフラップ包装箱においても、外フラップに形成される把持部分に上記構成を適用することができる。
【符号の説明】
【００３７】
１，２，３  壁板
４  継代片
５，７  外フラップ
６  内フラップ
８  面取部
９  切目線
１０  押込片
１１  折込線
１２  折返線
１３  稜線
１４  切欠部
１５  押込部
１６  切目線
１７  引裂帯
１８  切始部
１９  開口部
２０  手入凹所
２１  第１罫線
２２  第４罫線
Ｂ  ＰＥＴボトル
【図１】
0003203236.tif 000003
【図２】
0003203236.tif 000004
【図３】
0003203236.tif 000005
【図４】
0003203236.tif 000006
【図５】
0003203236.tif 000007
【図６】
0003203236.tif 000008
【図７】
0003203236.tif 000009
【図８】
0003203236.tif 000010